(57)【要約】【課題】安価に広く頒布することができるという紙ポスターの利便性を生かしつつ、紙面に掲載されている内容以外の二次的な情報を提示することを可能にする情報提供システムを提供する。【解決手段】  内底にポスターを貼付するためのポスター貼付面を備えた矩形の枠箱を基本構造とするポスター掲示用ユニットは、対向する２つの枠部の間に左右にスライド自在に架け渡されたステーと、当該ステーに上下にスライド自在にタブレット型ＰＣを固定するための取り付け部を含む。ユーザが、タブレット型ＰＣをスライドさせることに応答して、タブレット型ＰＣの現在位置とポスター掲示用ユニットのユニットＩＤを格納したコンテンツ要求が自動的にコンテンツ・サーバに送信される。コンテンツ・サーバは、コンテンツ要求に格納されたユニットＩＤと現在位置に対応するコンテンツをレスポンスとしてタブレット型ＰＣに送信する。【選択図】図１
2014127109.tif 000002
【特許請求の範囲】
【請求項１】
１以上のポスター掲示用ユニットと、該ユニットに取り付けられるタブレット型ＰＣと、該タブレット型ＰＣとネットワークを介して接続されるコンテンツ・サーバとを含む情報提供システムであって、
前記ポスター掲示用ユニットは、
内底にポスターを貼付するためのポスター貼付面を備えた矩形の枠箱と、
前記枠箱の対向する２つの枠部の間に架け渡され、該枠部の長手方向に摺動自在に固定されるステーと、
前記ステーの長手方向に摺動自在に前記タブレット型ＰＣを固定するための取り付け部と、
前記タブレット型ＰＣの現在位置を前記ポスター貼付面上の位置座標として取得し、該位置座標をリアルタイムに前記タブレット型ＰＣに送信するための位置座標提供手段とを含み、
前記タブレット型ＰＣは、
前記位置座標提供手段から受信した前記位置座標と前記ポスター掲示用ユニットの一意識別子であるユニットＩＤを格納したコンテンツ要求をリアルタイムに前記コンテンツ・サーバに送信するためのコンテンツ要求部と、
前記コンテンツ・サーバから受信したコンテンツをディスプレイに表示するコンテンツ表示部とを含み、
前記コンテンツ・サーバは、
ポスターに関連付けて提供したいコンテンツを登録するためのコンテンツ登録部と、
前記コンテンツ要求に格納された前記ユニットＩＤと前記位置座標に対応するコンテンツをタブレット型ＰＣに送信するコンテンツ提供部と
を含む、
情報提供システム。
【請求項２】
前記コンテンツ登録部は、前記ユニットＩＤとポスターを紐付けて登録し、該ポスター毎に、前記ポスター貼付面上に定義される１以上のトリガー領域の座標情報と１以上のコンテンツを紐付けて登録し、
前記コンテンツ提供部は、前記コンテンツ要求を受信したことに応答して、該コンテンツ要求に格納された前記ユニットＩＤに係る１以上のコンテンツのうち、該コンテンツ要求に格納された前記位置座標を包含する前記トリガー領域に紐付いたコンテンツを前記タブレット型ＰＣに送信する、
請求項１に記載の情報提供システム。
【請求項３】
前記コンテンツは、静止画ファイル、動画ファイル、テキストファイル、ウェブアプリケーションのいずれかを含む、請求項１または２に記載の情報提供システム。
【請求項４】
前記コンテンツ提供部は、コンテンツの提供に係る時間情報を保存する、請求項１〜３のいずれか一項に記載の情報提供システム。
【請求項５】
前記ステーは、前記取り付け部を係止するストッパー機構を備える、請求項１〜４のいずれか一項に記載の情報提供システム。
【請求項６】
前記取り付け部は、前記タブレット型ＰＣのディスプレイ面が外から視認できるように形成された箱型容器として構成される、請求項１〜５のいずれか一項に記載の情報提供システム。
【請求項７】
前記箱型容器は防水容器である、請求項６に記載の情報提供システム。
【請求項８】
前記取り付け部は取手を含む、請求項１〜７のいずれか一項に記載の情報提供システム。
【請求項９】
前記位置座標提供手段は、前記枠箱の直交する２つの枠部のそれぞれと前記タブレット型ＰＣとの間の距離を測定する２つの測距手段を備え、各測距手段からの出力に基づいて前記位置座標を取得する、請求項１〜８のいずれか一項に記載の情報提供システム。
【請求項１０】
前記測距手段はフォトリフレクタである、請求項９に記載の情報提供システム。
【請求項１１】
前記ステーは、透明材料で形成される、請求項１〜１０のいずれか一項に記載の情報提供システム。
【請求項１２】
前記ステーは、前記枠箱の上下方向または左右方向の少なくとも一方に架け渡される、請求項１〜１１のいずれか一項に記載の情報提供システム。
【請求項１３】
前記位置座標提供手段と前記タブレット型ＰＣが無線接続される、請求項１〜１２のいずれか一項に記載の情報提供システム。
【発明の詳細な説明】
【技術分野】
【０００１】
本発明は、情報提供システムに関し、より詳細には、タブレット型ＰＣを利用した情報提供システムに関する。
【背景技術】
【０００２】
近年の高機能携帯電話の普及に伴って、“スマートポスター”を利用した情報掲示が広く行われている（例えば、特許文献１）。スマートポスターとしては、ＵＲＬを記録したＱＲコードが印刷されたポスターを例示することができる。この場合、ポスターの閲覧者が、ポスターに印刷されたＱＲコードに自身の携帯電話（ＱＲコードリーダー）をかざすと、自動的に所定のＷＥＢサイトに誘導され、そこからポスターに関連する二次情報の提供を受けることができる。つまり、スマートポスターによれば、紙面の都合上載せることができなかった詳細情報や、紙媒体では提示することができない情報（動画・音声など）を閲覧者の携帯電話を介して間接的に提示することができる。
【０００３】
しかしながら、このようなスマートポスターは、携帯電話を携帯していない閲覧者や携帯電話の操作に不慣れな閲覧者（いわゆる情報弱者）に対しては、依然として、ポスターに掲載されている内容以上の情報を伝えることができない。
【０００４】
この点につき、最近、“デジタルポスター”と呼ばれる新しい情報掲示手段が登場している。デジタルポスターとは、紙面に見立てた大型ディスプレイに広告などに関するデジタル情報を配信・表示するコンピュータ装置であって、疑似的なポスターとして機能する。デジタルポスターによれば、掲示内容を動的に変更することができ、さらに、表示面をタッチパネルディスプレイとして構成すれば、閲覧者に対してインタラクティブな情報掲示を行うことも可能になる。
【０００５】
しかしながら、デジタルポスターは、１台当たりの設置・維持コストが高くつくため、紙媒体のポスターのように広く頒布することができず、今のところ、都市部の駅や大型商業施設など限られた場所での利用にとどまっている。
【先行技術文献】
【特許文献】
【０００６】
【特許文献１】特開２００６−２９５８９８号公報
【発明の概要】
【発明が解決しようとする課題】
【０００７】
本発明は、上記従来技術における課題に鑑みてなされたものであり、本発明は、安価に広く頒布することができるという紙ポスターの利便性を生かしつつ、携帯電話等の機器を携帯しない閲覧者に対して、紙面に掲載されている内容以外の二次的な情報を提示することを可能にする新規な情報提供システムを提供することを目的とする。
【課題を解決するための手段】
【０００８】
本発明者は、安価に広く頒布することができるという紙ポスターの利便性を生かしつつ、携帯電話等の機器を携帯しない閲覧者に対して、紙面に掲載されている内容以外の二次的な情報を提示することを可能にする新規な情報提供システムにつき鋭意検討した結果、以下の構成に想到し、本発明に至ったのである。
【０００９】
すなわち、本発明によれば、１以上のポスター掲示用ユニットと、該ユニットに取り付けられるタブレット型ＰＣと、該タブレット型ＰＣとネットワークを介して接続されるコンテンツ・サーバとを含む情報提供システムであって、前記ポスター掲示用ユニットは、内底にポスターを貼付するためのポスター貼付面を備えた矩形の枠箱と、前記枠箱の対向する２つの枠部の間に架け渡され、該枠部の長手方向に摺動自在に固定されるステーと、前記ステーの長手方向に摺動自在に前記タブレット型ＰＣを固定するための取り付け部と、前記タブレット型ＰＣの現在位置を前記ポスター貼付面上の位置座標として取得し、該位置座標をリアルタイムに前記タブレット型ＰＣに送信するための位置座標提供手段とを含み、前記タブレット型ＰＣは、前記位置座標提供手段から受信した前記位置座標と前記ポスター掲示用ユニットの一意識別子であるユニットＩＤを格納したコンテンツ要求をリアルタイムに前記コンテンツ・サーバに送信するためのコンテンツ要求部と、前記コンテンツ・サーバから受信したコンテンツをディスプレイに表示するコンテンツ表示部とを含み、前記コンテンツ・サーバは、ポスターに関連付けて提供したいコンテンツを登録するためのコンテンツ登録部と、前記コンテンツ要求に格納された前記ユニットＩＤと前記位置座標に対応するコンテンツをタブレット型ＰＣに送信するコンテンツ提供部とを含む情報提供システムが提供される。
【発明の効果】
【００１０】
上述したように、本発明によれば、安価に広く頒布することができるという紙ポスターの利便性を生かしつつ、携帯電話等の機器を携帯しない閲覧者に対して、紙面に掲載されている内容以外の二次的な情報を提示することを可能にする新規な情報提供システムが提供される。
【図面の簡単な説明】
【００１１】
【図１】本実施形態の情報提供システムのネットワーク構成を示す図。
【図２】本実施形態におけるポスター掲示用ユニットの構造を示す図。
【図３】本実施形態におけるポスター掲示用ユニットの構造を示す図。
【図４】本実施形態におけるポスター掲示用ユニットの構造を示す図。
【図５】本実施形態の情報提供システムの機能ブロック図。
【図６】本実施形態における位置座標提供手段の構成を説明するための概念図。
【図７】本実施形態におけるコンテンツ・サーバが管理するテーブルを示す図。
【図８】本実施形態におけるトリガー領域を説明するための概念図。
【図９】本実施形態の情報提供システムが実行する処理のシーケンス図。
【図１０】本実施形態の情報提供システムが実行する処理を説明するための概念図。
【図１１】本実施形態における位置座標提供手段の構成を説明するための概念図。
【発明を実施するための形態】
【００１２】
以下、本発明を図面に示した実施の形態をもって説明するが、本発明は、図面に示した実施の形態に限定されるものではない。なお、以下に参照する各図においては、共通する要素について同じ符号を用い、適宜、その説明を省略するものとする。
【００１３】
図１は、本発明の実施形態である情報提供システム１０００のネットワーク構成を示す模式図である。図１に示すように、本実施形態の情報提供システム１０００は、１以上のポスター掲示用ユニット１００と、各ポスター掲示用ユニット１００に取り付けられるタブレット型ＰＣ２００と、コンテンツ・サーバ３００とを含んで構成されている。
【００１４】
本実施形態におけるポスター掲示用ユニット１００は、ポスターを掲示するための矩形の枠箱状ユニットとして参照されるものであり、イベント告知広告や、商品紹介、観光地案内、展示会のナビゲーションなどに係る情報掲示を行うために、屋内外を問わず公共のあらゆる場所に設置されることを想定している。
【００１５】
ポスター掲示用ユニット１００に取り付けられるタブレット型ＰＣ２００は、ネットワーク対応のタブレット型の汎用パーソナルコンピュータとして参照されるものであり、公衆無線ＬＡＮや３Ｇ回線などを介してインターネット４００に接続される。
【００１６】
一方、コンテンツ・サーバ３００は、インターネット４００上に配置されるウェブサーバであり、ＨＴＴＰなどのプロトコルに則って各ポスター掲示用ユニット１００に取り付けられるタブレット型ＰＣ２００と遠隔通信を行う。ここで、各ポスター掲示用ユニット１００には、それぞれを特定するための一意識別子（以下、ユニットＩＤとして参照する）が予め付与されており、コンテンツ・サーバ３００は、ユニットＩＤに基づいて各ポスター掲示用ユニット１００を管理している。
【００１７】
以上、本実施形態の情報提供システム１０００のネットワーク構成について概説したが、続いて、本実施形態におけるポスター掲示用ユニット１００の具体的な構成を図２に基づいて説明する。
【００１８】
図２は、本実施形態におけるポスター掲示用ユニット１００の構造を説明するための模式図であり、図２（ａ）はユニットの正面図を示し、図２（ｂ）はユニットの断面図を示す。
【００１９】
図２に示すように、ポスター掲示用ユニット１００は、内底にポスターを貼付するためのポスター貼付面１２（破線で囲んで示す）を備えた矩形の枠箱１０を基本構造として備えており、その使用の際には、図３に示すように、ポスター貼付面１２に合わせてポスターを貼付することになっている。
【００２０】
一方、枠箱１０の対向する２つの枠部１３，１３の間には、帯状のステー１５が架け渡されている。なお、ステー１５は、ポスター貼付面１２に貼付されるポスターの視認をできるだけ阻害しないように透明な材料で形成することが好ましい。
【００２１】
ここで、ステー１５は、枠部１３の長手方向をなめらかに摺動するようにガイドレールやベアリングなどを利用した適切なすべり機構を用いて固定されている。さらに、ステー１５には、タブレット型ＰＣ２００を取り付けるための取り付け部１６が、ステー１５の長手方向をなめらかに摺動するように同じく適切なすべり機構を用いて固定されている。
【００２２】
取り付け部１６は、少なくとも外向きの底面が透明板で形成された直方体形の箱型容器として構成されており、タブレット型ＰＣ２００を防水可能に収納した状態で、そのディスプレイ面が外から視認できるように構成されている。さらに、取り付け部１６の左右には取手１７，１７が形成されており、ポスターの閲覧者は、この取手１７，１７を把持して、取り付け部１６（すなわち、その内部に収容されたタブレット型ＰＣ２００）を枠部１３の長手方向あるいはステー１５の長手方向にスムーズにスライドすることができるように構成されている。なお、ステー１５は、ポスターの閲覧者が取手１７から手を離した位置で取り付け部１６を係止する適切なストッパー機構を備えることが好ましい。
【００２３】
ただし、図２に示す取り付け部１６はあくまで例示であり、ステー１５の長手方向にスライド自在にタブレット型ＰＣ２００を取り付けることができる構造を備えていれば、その他の構成を採用してもよい。また、ステー１５は、図４（ａ）に示すように、枠箱１０の対向する２つの枠部１４，１４の間に横方向に架け渡してもよいし、図４（ｂ）に示すように、２つの枠部１３，１３の間と２つの枠部１４，１４の間に、それぞれ１つずつステー１５を架け渡すようにしてもよい。
【００２４】
以上の説明から理解されるように、ポスターの閲覧者は、枠箱１０の内部でタブレット型ＰＣ２００を上下左右に自由にスライドさせることができる。そして、ポスター掲示用ユニット１００は、移動自在に構成されたタブレット型ＰＣ２００の現在位置を取得するための位置座標提供手段を備える。以下、この位置座標提供手段、タブレット型ＰＣ２００、およびコンテンツ・サーバ３００の具体的な構成について、図５に基づいて説明する。
【００２５】
図５は、本実施形態の情報提供システム１０００を構成する各装置の機能ブロックを示す。
【００２６】
まず、位置座標提供手段１２０の構成を説明する。位置座標提供手段１２０は、移動自在に構成されたタブレット型ＰＣ２００の現在の位置を、ポスター貼付面１２上の位置座標として取得するための手段である。ここで、タブレット型ＰＣ２００の位置座標を取得するための手段として種々の機構を想定することができるが（この点は、後述する）、本発明はその機構の内容に限定されるものではない。ここでは、例示的に、図２に示した実施態様における位置座標提供手段１２０の構成を説明する。
【００２７】
位置座標提供手段１２０は、測距手段としてのフォトリフレクタ１８ｘおよびフォトリフレクタ１８ｙと、マイクロコンピュータ１２２と、上述したユニットＩＤを格納するユニットＩＤ格納部１２４と、タブレット型ＰＣ２００との間で通信を確立するための通信Ｉ／Ｆ１２６を含んで構成される。ここで、マイクロコンピュータ１２２と通信Ｉ／Ｆ１２４は、制御ユニットに収容され、ポスター掲示用ユニット１００の適切な位置に配置されているものとして参照されたい。
【００２８】
図２に示す例では、枠部１４およびステー１５の支持台１５ａのそれぞれに、フォトリフレクタ１８ｘおよびフォトリフレクタ１８ｙが配設されている。ここで、フォトリフレクタ１８ｘは、支持台１５ａの側面に対向する枠部１４の適切な位置に配設され、支持台１５ａに対して照射した光（赤外線など）の反射光を受光して光電変換する。同じく、フォトリフレクタ１８ｙは、取り付け部１６の底面に対向する支持台１５ａの上面の適切な位置に配設されており、取り付け部１６の底面に対して照射した光の反射光を受光して光電変換する。
【００２９】
フォトリフレクタ１８ｘおよびフォトリフレクタ１８ｙの出力は、マイクロコンピュータ１２２に入力される。マイクロコンピュータ１２２は、図６に示すように、フォトリフレクタ１８ｘからの出力に基づいて距離Ｌ１を算出し、フォトリフレクタ１８ｙからの出力に基づいて距離Ｌ２を算出する。
【００３０】
そして、マイクロコンピュータ１２２は、距離Ｌ１および距離Ｌ２から、取り付け部１６の現在位置をポスター貼付面１２（破線で囲んで示す）上の位置座標（ＸＹ座標）として取得する。なお、取り付け部１６の現在位置は、図６に「×」で示すような任意の代表点の位置として求めることができる。
【００３１】
ここで、マイクロコンピュータ１２２は、通信Ｉ／Ｆ１２６を介してタブレット型ＰＣ２００と通信可能に接続されている。本実施形態においては、マイクロコンピュータ１２２とタブレット型ＰＣ２００との間の接続は、Bluetooth（登録商標）や近距離無線通信などを使用した無線接続とすることが好ましいが、USBなどを使用した有線接続であってもよい。
【００３２】
マイクロコンピュータ１２２は、ＸＹ座標（すなわち、タブレット型ＰＣ２００の現在位置）を取得すると、当該ＸＹ座標とユニットＩＤ格納部１２４から読み出したユニットＩＤを紐付けてタブレット型ＰＣ２００に送信する。
【００３３】
次に、タブレット型ＰＣ２００の構成を説明する。タブレット型ＰＣ２００は、コンテンツ要求部２０２とコンテンツ表示部２０４を含んで構成される。コンテンツ要求部２０２は、位置座標提供手段１２０から通信Ｉ／Ｆ２０６を介してタブレット型ＰＣ２００の現在位置（位置座標）とユニットＩＤを受信したことに応答して、当該位置座標およびユニットＩＤを格納したコンテンツ要求（ＨＴＴＰリクエスト）を生成し、コンテンツ・サーバ３００に送信する。
【００３４】
一方、コンテンツ表示部２０４は、コンテンツ・サーバ３００からのレスポンス（コンテンツ）をディスプレイ２０８に表示する。なお、コンテンツ要求部２０２およびコンテンツ表示部２０４は、タブレット型ＰＣ２００に搭載されるウェブブラウザと専用アプリケーションによって実現される。また、位置座標提供手段１２０による位置検出からコンテンツ・サーバ３００に対するコンテンツ要求の送信までの一連の処理は、実時間（リアルタイム）で実施される。
【００３５】
次に、コンテンツ・サーバ３００の構成を説明する。コンテンツ・サーバ３００は、コンテンツ登録部３０２、コンテンツ提供部３０４、データベース３０６、および閲覧履歴保存部３０８を含んで構成される。
【００３６】
データベース３０６においては、各ポスター掲示用ユニット１００に現在掲示されているポスターと、当該ポスターに関連するコンテンツが登録・管理されている。この点につき、図７（ａ）は、データベース３０６が管理するポスターテーブル６００を示し、図７（ｂ）は、データベース３０６が管理するコンテンツテーブル７００を示す。
【００３７】
図７（ａ）に示すように、ポスターテーブル６００は、ユニットＩＤを格納するためのカラム６０１と、掲示されるポスターの種類を一意に識別するためのポスターＩＤを格納するためのカラム６０２と、掲示されるポスターのタイトルを格納するためのカラム６０３を含む。本実施形態においては、このポスターテーブル６００によって、ポスター掲示用ユニット１００とそこに掲示されるポスターの内容が紐付けて管理される。
【００３８】
一方、コンテンツテーブル７００は、図７（ｂ）に示すように、掲示されるポスターの内容ごと（すなわち、ポスターＩＤごと）に用意される。コンテンツテーブル７００は、コンテンツ提供のトリガーとなるトリガー領域の識別子（以下、領域ＩＤという）を格納するためのカラム７０１と、当該トリガー領域を定義する座標情報を格納するためのカラム７０２と、当該トリガー領域に関連付けて提示したいコンテンツを格納するためのカラム７０３を含む。実施形態においては、このコンテンツテーブル７００によって、掲示されるポスターとコンテンツが紐付けて管理される。
【００３９】
コンテンツ登録部３０２は、コンテンツ・サーバ３００のＵＩを介した登録またはインターネット４００を介した他のクライアント５００からの登録を受け付け、その内容をポスターテーブル６００およびコンテンツテーブル７００に反映させる。
【００４０】
一方、コンテンツ提供部３０４は、タブレット型ＰＣ２００からコンテンツ要求を受信したことに応答して、データベース３０６を検索し、ヒットしたコンテンツをレスポンスとしてタブレット型ＰＣ２００に送信する。その際、コンテンツ提供部３０４は、後に情報解析のために、コンテンツの提供に係る時間情報（時刻、長さ）を領域ＩＤに紐付けて閲覧履歴保存部３０８に保存する。
【００４１】
ここで、情報提供システム１０００の管理者は、新規にポスターを掲示する場合、ポスターテーブル６００において、新規ポスターを掲示する予定のポスター掲示用ユニット１００のユニットＩＤに紐付いたカラム６０２および６０３のそれぞれに、新規ポスターのポスターＩＤおよびポスタータイトルを登録する。さらに、管理者は、コンテンツテーブル７００において、当該新規ポスターに係るトリガー領域とコンテンツを登録する。ここで、図８に基づいてトリガー領域を説明する。
【００４２】
本実施形態においては、コンテンツ提供のトリガーとなる領域（破線で囲んで示す）をポスター貼付面１２の座標系（100×125）で予め定義しておく。図８に示す例では、“ふるさとの自然展”というタイトルのポスターについて、ポスターに記載された５つ記事（Ａ〜Ｅ）のそれぞれの中央付近にトリガー領域（ａ〜ｅ）が定義されている。この例の場合、コンテンツ登録部３０２は、図７（ｂ）に示すコンテンツテーブル７００において、５つのトリガー領域のそれぞれに対して領域ＩＤを付与した上で、各領域ＩＤに紐付いたカラム７０２および７０３のそれぞれに、座標情報およびコンテンツを登録する。
【００４３】
図８に示す例の場合、トリガー領域が円で定義されているので、カラム７０２には、トリガー領域の中心座標（Ｘ，Ｙ）とその半径Ｒが座標情報（Ｘ，Ｙ，Ｒ）として登録されている。なお、トリガー領域は、円に限らず、矩形など任意の形状を定義することができる。一方、カラム７０３には、コンテンツ（のパス）が登録される。本実施形態においては、静止画ファイル、動画ファイル、テキストファイル等のマルチメディアファイルの他、タブレット型ＰＣ２００のウェブブラウザ上で動くウェブアプリケーションなどをコンテンツとして登録することができる。
【００４４】
以上、情報提供システム１０００を構成する各装置の具体構成について説明してきたが、続いて、図３に示す“ふるさとの自然展”のポスターを掲示した場合を例にとって、上述した一連の処理を図９に示すシーケンス図に基づいて再現する。
【００４５】
位置座標提供手段１２０は、常時、取り付け部１６（タブレット型ＰＣ２００）の現在位置を監視し、その位置座標とポスター掲示用ユニット１００のユニットＩＤ“0001”を紐付けてリアルタイムでタブレット型ＰＣ２００に送信する（Ｓ１）。
【００４６】
タブレット型ＰＣ２００は、位置座標提供手段１２０から受領した位置座標とユニットＩＤ“0001”を含むコンテンツ要求を生成し（Ｓ２）、当該コンテンツ要求をコンテンツ・サーバ３００に送信する（Ｓ３）。
【００４７】
コンテンツ・サーバ３００は、タブレット型ＰＣ２００から受信したコンテンツ要求に含まれるユニットＩＤ“0001”をキーとして、図７（ａ）に示すポスターテーブル６００のカラム６０１を検索して、ポスターＩＤ“20120123-Ｆ”を取得した後、ポスターＩＤ“20120123-Ｆ”をキーとして、図７（ｂ）に示すコンテンツテーブル７００ａを特定する（Ｓ４）。
【００４８】
続いて、コンテンツ・サーバ３００は、コンテンツ要求に含まれる位置座標をキーとして、コンテンツテーブル７００ａのカラム７０２を検索し、当該位置座標を包含する座標情報に紐付いたカラム７０３に格納されるコンテンツを特定する（Ｓ５）。
【００４９】
最後に、コンテンツ・サーバ３００は、特定したコンテンツをタブレット型ＰＣ２００に送信し（Ｓ６）、タブレット型ＰＣ２００は、受信したコンテンツをディスプレイに表示・再生する（Ｓ７）。
【００５０】
例えば、ユーザが取り付け部１６（タブレット型ＰＣ２００）を図１０（ａ）に示す位置にスライドさせた場合、位置座標“30，90” が埋め込まれたコンテンツ要求がコンテンツ・サーバ３００に送信される。この場合、コンテンツ・サーバ３００は、位置座標“30，90”をキーとして、コンテンツテーブル７００ａを検索し、位置座標“30，90”を包含する座標情報“27，87，10”に紐付いたコンテンツ“記事Ａに関連する映像”をタブレット型ＰＣ２００にレスポンスする。これを受けて、タブレット型ＰＣ２００のウェブブラウザは、“山の映像”をストリーミング再生する。
【００５１】
例えば、ユーザが取り付け部１６（タブレット型ＰＣ２００）を図１０（ｂ）に示す位置にスライドさせた場合、位置座標“76，32” が埋め込まれたコンテンツ要求がコンテンツ・サーバ３００に送信される。この場合、コンテンツ・サーバ３００は、位置座標“76，32”をキーとして、コンテンツテーブル７００ａを検索し、位置座標“76，32”を包含する座標情報“74，30，15”に紐付いたコンテンツ“記事Ｅに関連する写真”をタブレット型ＰＣ２００にレスポンスする。これを受けて、タブレット型ＰＣ２００のウェブブラウザは、“花の写真”を表示する。
【００５２】
なお、コンテンツ・サーバ３００は、コンテンツ要求に含まれる位置座標を包含する座標情報がコンテンツテーブル７００ａに存在しなかった場合、適切な壁紙画像（例えば、黒一色画像）をタブレット型ＰＣ２００にレスポンスするように構成してもよい。
【００５３】
以上、説明したように、本実施形態の情報提供システム１０００によれば、携帯電話を携帯していない閲覧者や携帯電話の操作に不慣れな閲覧者（いわゆる情報弱者）に対して、ポスターに掲載されている内容に関連した二次情報を動的に提供することができ、また、その際に、タブレット型ＰＣ２００のタッチパネルディスプレイ機能を利用すれば、インタラクティブな情報提供も可能になる。
【００５４】
また、本実施形態によれば、コンテンツテーブル７００の内容を変更するだけで、同じポスターについて提示する二次情報の内容を随意に変更することができ、さらに、時間帯毎に異なるコンテンツテーブルを用意すれば、コンテンツ要求を受信した時間帯によって異なるコンテンツを提供することも可能になる。さらに、コンテンツの提供履歴を解析すれば、閲覧者がポスターのどの記事にどの程度興味を持ったかといった情報（興味の深度）を取得することも可能になる。
【００５５】
また、情報提供システム１０００は、既に印刷されたポスターに関連付けて、事後的にデジタルコンテンツを提供するためのインフラとして機能するので、製作済みのポスターに付加価値をつけるといった利用方法も可能になる。
【００５６】
さらに、本実施形態の情報提供システム１０００は、汎用のタブレット型ＰＣを流用してシステムを安価・簡便に構築することができるので、デジタルポスターに比較してコスト面の障壁が低くなり、従来の紙媒体のポスターに近い感覚で、あらゆる場所に設置することができるようになる。
【００５７】
最後に、位置座標提供手段１２０に係る他の実施形態を図１１に基づいて例示的に説明する。
【００５８】
図１１（ａ）に示すポスター掲示用ユニット１００Ａにおいては、ステー１５とステー１５の端部がスライドする枠箱１０の枠部１３内のレールに沿って可変抵抗器２０を敷設した上で、ステー１５とレールに５Ｖ程度の弱電流を送電している。この場合、位置座標提供手段１２０のマイクロコンピュータ１２２は、可変抵抗器２０の電流抵抗値に基づいてタブレット型ＰＣの現在位置を導出する。
【００５９】
図１１（ｂ）に示すポスター掲示用ユニット１００Ｂにおいては、枠箱１０の対向する２つの枠部のそれぞれに対して、所定間隔にレーザー投射器２１および光センサ２２を配設している。この場合、タブレット型ＰＣ２００の位置のレーザーが遮断されるので、位置座標提供手段１２０のマイクロコンピュータ１２２は、光センサ２２の出力の有無に基づいてタブレット型ＰＣ２００の現在位置を導出する。
【００６０】
図１１（ｃ）に示すポスター掲示用ユニット１００Ｃにおいては、ポスター貼付面１２の裏側にRFIDタグ２３をマトリックス状に配設した上で、取り付け部１６（あるいは、タブレット型ＰＣ２００自身）の裏側にRFIDリーダを設けている。この場合、位置座標提供手段１２０のマイクロコンピュータ１２２は、RFIDリーダが読み取ったID番号に基づいてタブレット型ＰＣ２００の現在位置を導出する。
【００６１】
以上、本発明について実施形態をもって説明してきたが、本発明は上述した実施形態に限定されるものではなく、その他、当業者が推考しうる実施態様の範囲内において、本発明の作用・効果を奏する限り、本発明の範囲に含まれるものである。
【００６２】
なお、上述した実施形態の各機能は、Ｃ、Ｃ＋＋、Ｃ＃、Ｊａｖａ（登録商標）などのオブジェクト指向プログラミング言語などで記述された装置実行可能なプログラムにより実現でき、本実施形態のプログラムは、ハードディスク装置、ＣＤ−ＲＯＭ、ＭＯ、ＤＶＤ、フレキシブルディスク、ＥＥＰＲＯＭ、ＥＰＲＯＭなどの装置可読な記録媒体に格納して頒布することができ、また他装置が可能な形式でネットワークを介して伝送することができる。
【符号の説明】
【００６３】
１０…枠箱
１２…ポスター貼付面
１３，１４…枠部
１５…ステー
１５ａ…支持台
１６…取り付け部
１７…取手
１８  フォトリフレクタ
２０…可変抵抗器
２１…レーザー投射器
２２…光センサ
２３…RFIDタグ
１００…ポスター掲示用ユニット
１２０…位置座標提供手段
１２２…マイクロコンピュータ
１２４…ユニットＩＤ格納部
２００…タブレット型ＰＣ
２０２…コンテンツ要求部
２０４…コンテンツ表示部
２０８…ディスプレイ
３００…コンテンツ・サーバ
３０２…コンテンツ登録部
３０４…コンテンツ提供部
３０６…データベース
３０８…閲覧履歴保存部
４００…インターネット
５００…クライアント
６００…ポスターテーブル
６０１〜６０３…カラム
７００…コンテンツテーブル
７０１〜７０３…カラム
１０００…情報提供システム
【図１】
2014127109.tif 000003
【図２】
2014127109.tif 000004
【図３】
2014127109.tif 000005
【図４】
2014127109.tif 000006
【図５】
2014127109.tif 000007
【図６】
2014127109.tif 000008
【図７】
2014127109.tif 000009
【図８】
2014127109.tif 000010
【図９】
2014127109.tif 000011
【図１０】
2014127109.tif 000012
【図１１】
2014127109.tif 000013